【事件の表示】
　特願２０１４−１３３９２１「基板処理装置及びその制御方法並びにプログラム」拒絶査定不服審判事件〔平成２６年１２月２５日出願公開、特開２０１４−２４１４１２、請求項の数（６）〕について、次のとおり審決する。
【結　論】
　原査定を取り消す。
　本願の発明は、特許すべきものとする。
【理　由】
第１　手続の経緯
　本願は、平成２１年８月３１日に出願した特願２００９−１９９７３６号の一部を平成２６年６月３０日に新たな特許出願としたものであって、平成２７年６月５日付け（同年同月１８日発送）で拒絶理由が通知され、同年８月６日付けで意見書が提出され、同日付けで手続補正がなされたが、同年９月２８日付け（同年１０月８日送達）で拒絶査定（以下、「原査定」という。）がなされ、これに対して、同年１２月２５日に拒絶査定不服審判の請求がなされ、同時に手続補正がなされたものである。
　その後、当審より平成２８年８月１日付け（同年同月４日発送）で拒絶理由（以下、「当審拒絶理由」という。）を通知したところ、同年１０月３日付けで意見書が提出され、同日付けで手続補正がなされたものである。
第２　本願発明
　本願の請求項１ないし６に係る発明は、平成２８年１０月３日付けの手続補正で補正された特許請求の範囲の請求項１ないし６に記載された事項により特定されるものと認められるところ、本願の請求項１に係る発明（以下、「本願発明」という。）は、以下のとおりである。
「基板処理に関する情報を操作する操作画面の表示を制御する制御手段と、着脱可能な外部記憶装置を装備する装着部と、を有する基板処理装置であって、
前記操作画面は、少なくともログインボタンを備えた初期画面と、前記ログインボタンが押下されると表示される認証作業を行うためのログイン画面と、前記認証作業により認証されると表示されるセットアップボタンを備えた画面と、前記セットアップボタンが押下されると表示されるメンテナンスを受け付ける画面とを含み、必要な制御又はモニタを行うためのインフォメーションパネルと、各種ナビゲーションボタンが配置されるナビゲーションパネルとで少なくとも構成され、
前記制御手段は、前記外部記憶装置が挿入されていることを示すボタンと障害情報を一覧で表示する障害情報一覧画面を同じ操作画面に表示させ、
前記外部記憶装置が挿入されていることを示すボタンを、前記ナビゲーションパネルに配置し、
前記障害情報一覧画面を、前記インフォメーションパネルに表示するよう構成され、
前記制御手段は、前記メンテナンスを受け付ける画面に表示される所定のボタンが押下された後、障害情報のメンテナンスを受け付けるボタンが押下されたとき、前記障害情報一覧画面を前記インフォメーションパネルに表示させると共に、前記装着部の状態変化を監視し、前記外部記憶装置が装着されていることを検出したら、前記外部記憶装置が挿入されていることを示すボタンを前記ナビゲーションパネルに配置させ、
前記外部記憶装置が前記装着部に挿入されていない場合、前記外部記憶装置が挿入されていることを示すボタンが前記操作画面に押下できない状態で配置され、前記外部記憶装置が前記装着部に挿入されている場合、前記外部記憶装置が挿入されていることを示すボタンが前記操作画面に押下できる状態で配置されると共に前記インフォメーションパネルに表示された前記障害情報が選択されると、選択した前記障害情報を前記外部記憶装置に出力させ、前記外部記憶装置への前記障害情報の出力が終了していない場合に、前記外部記憶装置が挿入されていることを示すボタンが押下されると、エラーを発生するように構成されている基板処理装置。」
　
第３　原査定の拒絶理由について
１　原査定の拒絶理由の概要
　（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　記
　本願請求項１−５，８−１０に係る発明は、引用文献１に記載された発明及び引用文献２ないし８に記載された周知技術に基づいて当業者が容易に想到することができたものである。
　　　　　　　　　　　　　＜引用文献等一覧＞
１．国際公開第２００７／０８８８７２号
２．特開平１０−０５５９４２号公報（周知技術を示す文献）
３．国際公開第０２／０２７７６９号（周知技術を示す文献）
４．特開２００８−１７６４６１号公報（周知技術を示す文献）
５．特開２００３−１０８２７４号公報（周知技術を示す文献）
６．アイティースリー，特別付録 完全保存版 ＵＳＢメモリー ＣＤ＆ＤＶＤ 活用大全７５，日経ＰＣ２１，日経ＢＰ社，２００８年　５月　１日，第１３巻，第９号，ｐｐ．１４−１５（周知技術を示す文献）
７．特開２００４−０８７８３９号公報（周知技術を示す文献）
８．特開２００８−２４４０７２号公報（周知技術を示す文献）
２　原査定の拒絶理由の判断
（１）引用文献の記載事項、引用発明、技術事項
ア　引用文献１について
（ア）引用文献１の記載事項
　引用文献１には次の事項が記載されている。（下線は当審において付したものである。以下、同様。）
　引用例には、以下の記載がある。
「［００３０］図１に示される
半導体製造システム１００は、工場内生産管理ホストシステム１０１、トラック１０２、露光工程管理コントローラ１０３、露光装置１０５、解析システム１０７、ＣＶＤ装置１１３、エッチング装置１１５、ＣＭＰ装置１１７及び酸化イオン注入装置１１９などを有している。このうち、トラック１０２は、
内部には、ウェハ測定・検査器１０９及びコータ・デベロッパ１１１等が設置され
「［００３８］コータ・デベロッパ１１１は、ウェハＷに感光材（フォトレジスト）等を塗布する塗布装置、露光処理されたウェハＷを現像する現像装置、ウェハＷをべ一キングするべ一キング装置、成膜状態などを計測する計測装置、各装置を制御する制御装置、該制御装置で用いられる各種プログラムが格納されているフラッシュメモリ及び作業用メモリなどを有している。
［００３９］
ウェハ測定・検査器１０９は、露光パターンの欠陥検査及び外観検査などを行う検査装置、露光パターンの重ね合わせ計測及び線幅計測などを行う測定装置、各装置を制御するとともに、後述する検査条件の最適化などを行う制御装置などを有している。この制御装置は、該制御装置で用いられる各種プログラムが格納されているフラッシュメモリ及び作業用メモリを有している。
［００４０］
解析システム１０７は、露光装置１０５からの情報及びウェハ測定・検査器１０９からの情報などを解析する解析装置を有している。この解析装置は、該解析装置で用いられる各種プログラムが格納されているフラッシュメモリ及び作業用メモリを有している。
「［０１０９］このステップ４０３では、液浸モニタの条件設定処理が露光装置本体Ｓで行われる。この液浸モニタの条件設定処理では、図２４のフローチャートで示される処理(ステップ８０１〜ステップ８０７)が行われる。なお、
液浸モニタの条件設定処理は、作業者が不図示の表示装置に表示される内容に応答して、すなわち対話形式で不図示の入力装置を介して行っても良いし、
「［０１３７］次のステップ５０１では、ウェハ測定・検査器１０９は、「少なくとも１つのウェハ処理条件処理結果」に関する情報に基づいて、前記液浸露光されたウェハＷを検査するウェハ検査処理１の検査条件を最適化する。ここでの検査条件は、ウェハＷにおける検査位置及び検査感度の少なくとも一方を含む。
［０１３８］次のステップ５０３では、ウェハＷはウェハ測定・検査器１０９に移送され、ウェハ測定・検査器１０９にてウェハ検査処理１が行われる。ここでは、最適な検査条件に基づいてウェハＷの外観検査が行われる。
［０１３９］次のステップ５０５では、
ウェハ検査処理１の検査結果が解析システム１０７
に送信される
「［０１７４］また、上記実施形態において、前記ウェハ測定・検査器１０９に代えて、
オフラインのウェハ測定・検査器が用いられても良い
「［０１９６］また、上記実施形態では、本発明に係る
プログラムは、各フラッシュメモリに記録されているが、他の記録媒体(ＣＤ、光磁気ディスク、ＤＶＤ、メモリカード、ＵＳＢメモリ、フレキシブルディスク等）に記録されていても良い
（イ）引用発明
　オフラインのウェハ測定・検査器が用いられる場合（段落［０１７４］参照。）、検査や測定を行う装置を制御するには（段落［００３９］参照。）、操作者がどのような検査、測定を行うのかの設定をする必要があることから、オフラインのウェハ測定・検査器は、操作者が設定を入力する入力装置及び表示装置を有することは、液浸モニタの条件設定処理を表示装置及び入力装置を介して行っているように（段落［０１０９］参照。）、明らかである。また、解析システム１０７は、ウェハ測定・検査器１０９からの情報（検査結果）を解析する解析装置であるから（段落［００４０］、［０１３９］参照。）、オフラインのウェハ測定・検査器は、解析システム１０７に情報（検査結果）を送付するための手段を有し、その手段として、段落［０１９６］に記載されている外部記録媒体が用いられることは明らかである。
　してみると、引用文献１には、以下の発明が記載されていると認められる。（以下、「引用発明」という。）
「半導体製造システムは、工場内生産管理ホストシステム、トラック、露光工程管理コントローラ、露光装置、解析システム、ＣＶＤ装置、エッチング装置、ＣＭＰ及び酸化イオン注入装置などを有し、前記トラックの内部には、ウェハ測定・検査器及びコータ・デベロッパが設置され、
　前記ウェハ測定・検査器は、オフラインのウェハ測定・検査器であり、
　前記解析システムは、ウェハ測定・検査器からの情報（検査結果）を解析する解析装置であり、
　前記オフラインのウェハ測定・検査器は、入力装置及び表示装置を有し、前記解析システムに情報（検査結果）を送付するための手段を有し、前記手段は外部記録媒体を用いたものである、
　半導体製造システム。」
イ　引用文献２について
（ア）引用文献２の記載事項
「【０００１】
【発明の属する技術分野】本発明は、例えば
半導体製造装置の制御系に使われる表示装置
「【００３６】図５に示した
初期画面としてのデフォルト画面は、ログイン動作の際のユーザレベルの設定
画面である
（イ）引用文献２に記載された技術事項
　引用文献２には、「半導体製造装置の制御系に使われる表示装置において、初期画面としてのデフォルト画面は、ログイン動作の際のユーザレベルの設定画面であること」の技術事項が記載されている。
ウ　引用文献３について
（ア）引用文献３の記載事項
「まず、図３に示すタイミングチャートを用いて第１の装置立ち上げの動作を説明する。 なお、製造メ ーカ端末３と情報の送受信を行う半導体製造装置２は複数存在する。 以 下の例でも同様である。
　図３に示すように、まず製造メ ーカ端末３は複数の
半導体製造装置２にアクセスの要求を行う
入力部３５を用いてＩＤ番号及びパスワードを入力する
（イ）引用文献３に記載された技術事項
　引用文献３には、「半導体製造装置にアクセスする際、ＩＤ番号及びパスワードの入力を行うこと」の技術事項が記載されている。
エ　引用文献４について
（ア）引用文献４の記載事項
「【００８７】
  この
表示画像に対するドラッグ＆ドロップが行われると、
表示画像に対応する
電子ファイルを
ドロップ操作されたデバイス表示アイコン１８に対応するＵＳＢポート１１０に装着されたＵＳＢメモリ１５に
記憶させる
「【０１０８】
  このように、本実施形態に係る医用機器１では、
デバイス表示アイコン１８によりＵＳＢメモリ１５の装着の有無を識別できる
 
（イ）引用文献４に記載された技術事項
　引用文献４には、「表示画像に対するドラッグ＆ドロップが行われると、表示画像に対応する電子ファイルを、ドロップ操作されたデバイス表示アイコンに対応するＵＳＢポートに装着されたＵＳＢメモリに記憶させること」及び「デバイス表示アイコン１８によりＵＳＢメモリ１５の装着の有無を識別できること」の技術事項が記載されている。
オ　引用文献５について
（ア）引用文献５の記載事項
「【０００８】本発明に係る拡張デバイスの管理方法は、所定の操作を受けたときに、拡張デバイスが取り外し可能であるか否かを示すリスト情報に基づいて、
取り外し可能な拡張デバイスのみのリストを明示し、その中から特定の拡張デバイスの指定を受け付けると、指定された拡張デバイスをコンピュータ装置のシステムからアンロードする
【０００９】本発明は、コンピュータ装置に接続されている拡張デバイスを検出する処理と、検出された拡張デバイスをコンピュータ装置から取り外し禁止とするか否かの指定を受け付ける処理と、
コンピュータ装置に接続されている拡張デバイスのリスト表示の要求を受け付けたときに、取り外し禁止と指定された拡張デバイスを除いた拡張デバイスのリストを表示させる
「【００２１】図２に示すように、このような制限機能では、
ユーザがこれら対象となる拡張デバイスを取り外そうとしたときに、ＬＣＤ１８上に表示される所定のアイコンＭをクリック操作することによって、取り外し可能な拡張デバイスのリストＬが、ユーザからの拡張デバイスの取り外し要求を受け付ける指定受付部としてポップアップ表示される。そして、ユーザがこのリストＬ中にリストアップされた拡張デバイスの中から取り外したいものを選択する操作を行なうと、これに応じ、アンロード処理部としてのＯＳ側で、選択された拡張デバイスのドライバを削除し、システム上からその拡張デバイスをアンロードする処理を行なう。しかる後、ＯＳは、ＬＣＤ１８上に、ユーザが選択した拡張デバイスが取り外し可能な状態となった旨のメッセージを表示し、これを受けたユーザは、所定のインターフェイスから、選択した拡張デバイスを物理的に取り外すのである
（イ）引用文献５に記載された技術事項
　引用文献５には、「取り外し可能な拡張デバイスのみのリストを明示し、その中から特定の拡張デバイスの指定を受け付けると、指定された拡張デバイスをコンピュータ装置のシステムからアンロードすること」、「コンピュータ装置に接続されている拡張デバイスのリスト表示の要求を受け付けたときに、取り外し禁止と指定された拡張デバイスを除いた拡張デバイスのリストを表示させること」及び「ユーザがこれら対象となる拡張デバイスを取り外そうとしたときに、ＬＣＤ上に表示される所定のアイコンＭをクリック操作することによって行うこと」の技術事項が記載されている。
カ　引用文献６について
（ア）引用文献６の記載事項
「ＵＳＢメモリー内の「ＵｎｐｌｕｇＤｒｉｖｅ」アイコンをダブルクリックするか、マイコンピュータのＵＳＢメモリーを右クリック、「記憶デバイスの安全な停止」を選ぶと瞬時に取り外せる（図４、図５）。
　このとき、ＵＳＢメモリー内のファイルが開いていると、エラーメッセージが表示される。該当するファイルを終了させると、ＵＳＢメモリーを取り外せる（図６）。」（第１５頁第１４行−２２行）
（イ）引用文献６に記載された技術事項
　引用文献６には、「アイコンのクリックにより、ＵＳＢメモリーを取り外せること」及び「ＵＳＢメモリーを取り外すためのクリックをした際、ＵＳＢメモリー内のファイルが開いていると、エラーメッセージが表示されること」の技術事項が記載されている。
キ　引用文献７について
（ア）引用文献７の記載事項
「【００４６】
トラブルの発生が通知されたベンダ４側の担当者は，先ず
トラブルの情報を収集するために塗布現像処理装置Ｍ１側にトラブル情報の情報要求信号を送信する。
【００４７】
このように
塗布現像処理装置Ｍ１から送信されたトラブル情報は，ベンダ４側のコンピュータ５で受信され，コンピュータ５の表示部２３に表示される。
（イ）引用文献７に記載された技術事項
　引用文献７には、「トラブルの情報を収集するために塗布現像処理装置側にトラブル情報の情報要求信号を送信し、塗布現像処理装置から送信されたトラブル情報は，ベンダ側のコンピュータで受信され，コンピュータの表示部に表示されること」の技術事項が記載されている。
ク　引用文献８について
（ア）引用文献８の記載事項
「【００５６】
  上記実施の形態において、トラブル発生時に所定の条件にあったウェハＷについては、トラブル解消後にカセットＣから再搬送しないように設定したが、これらのウェハＷについての再搬送を選択できるようにしてもよい。かかる場合、例えば図１１に示すように塗布現像処理装置１にウェハ情報Ｉを表示する表示部１３０を設けてもよい。表示部１３０には、例えばタッチスクリーンが用いられる。例えば図１２に示すように表示部１３０の
表示画面１３０ａには、２５枚の各ウェハＷについてトラブル発生時の位置と処理状況（ウェハ情報Ｉ）が表示される。
（イ）引用文献８に記載された技術事項
　引用文献８には、「表示画面に、各ウェハＷについてトラブル発生時の位置と処理状況が表示されること」の技術事項が記載されている。
（２）対比
ア　本願発明と引用発明とを対比する。
　引用発明において、「ウェハ測定・検査器」が「解析システムに」送付する「情報（検査結果）」は、本願発明の「基板処理に関する情報」に相当する。
　引用発明における「ウェハ測定・検査」は、「表示装置」を有しており、「情報（検査結果）」を操作する操作画面の表示を制御する制御手段を有することは明らかである。
　引用発明において、「ウェハ測定・検査」は、「解析システムに情報（検査結果）を送付するための手段を有し、その手段は外部記録媒体を用いたものである」から、本願発明の「着脱可能な外部記憶装置を装備する装着部」に相当する構成を有することは明らかである。
　引用発明の「半導体製造システム」は、「露光装置」などのウェハを処理する装置を有するから、本願発明の「基板処理装置」に相当する。
イ　一致点
　してみると、本願発明と引用発明とは、以下の点で一致する。
「基板処理に関する情報を操作する操作画面の表示を制御する制御手段と、着脱可能な外部記憶装置を装備する装着部と、を有する基板処理装置。」　
ウ　相違点
　そして、本願発明と引用発明とは、以下の点で相違する。
（ア）相違点１
　本願発明は、「前記操作画面は、少なくともログインボタンを備えた初期画面と、前記ログインボタンが押下されると表示される認証作業を行うためのログイン画面と、前記認証作業により認証されると表示されるセットアップボタンを備えた画面と、前記セットアップボタンが押下されると表示されるメンテナンスを受け付ける画面とを含み、必要な制御又はモニタを行うためのインフォメーションパネルと、各種ナビゲーションボタンが配置されるナビゲーションパネルとで少なくとも構成され」ているのに対し、引用発明は、表示装置が表示する画面について特定されていない点。
（イ）相違点２
　本願発明において、「前記制御手段は、前記外部記憶装置が挿入されていることを示すボタンと障害情報を一覧で表示する障害情報一覧画面を同じ操作画面に表示させ、前記外部記憶装置が挿入されていることを示すボタンを、前記ナビゲーションパネルに配置し、前記障害情報一覧画面を、前記インフォメーションパネルに表示するよう構成され」ているのに対し、引用発明は、外部記憶装置が挿入されていることを示すボタンと障害情報を一覧で表示する障害情報、及びその画面上の配置関係について特定されていない点。
（ウ）相違点３
　本願発明において、「前記制御手段は、前記メンテナンスを受け付ける画面に表示される所定のボタンが押下された後、障害情報のメンテナンスを受け付けるボタンが押下されたとき、前記障害情報一覧画面を前記インフォメーションパネルに表示させる」のに対し、引用発明は、メンテナンスを受け付ける画面と障害情報一覧画面の表示について特定されていない点。
（エ）相違点４
　本願発明において、「前記装着部の状態変化を監視し、前記外部記憶装置が装着されていることを検出したら、前記外部記憶装置が挿入されていることを示すボタンを前記ナビゲーションパネルに配置させ、前記外部記憶装置が前記装着部に挿入されていない場合、前記外部記憶装置が挿入されていることを示すボタンが前記操作画面に押下できない状態で配置され、前記外部記憶装置が前記装着部に挿入されている場合、前記外部記憶装置が挿入されていることを示すボタンが前記操作画面に押下できる状態で配置されると共に前記インフォメーションパネルに表示された前記障害情報が選択されると、選択した前記障害情報を前記外部記憶装置に出力させ、前記外部記憶装置への前記障害情報の出力が終了していない場合に、前記外部記憶装置が挿入されていることを示すボタンが押下されると、エラーを発生するように構成されている」のに対し、引用発明の表示装置の画面表示と外部記録媒体がどのように制御される構成なのか特定されていない点。
（３）判断
　以下、事案に鑑み上記相違点４について検討する。
　引用文献２、３に記載されているように、半導体製造装置において、ログイン動作やＩＤ番号及びパスワードの入力を行うことは周知技術である。また、引用文献７、８に記載されているように、半導体製造装置において、トラブル発生の情報を表示させることは周知技術である。
　また、引用文献４ないし６に記載されているように、アイコンにより取り外し可能な拡張デバイス（ＵＳＢメモリー）の装着の有無を識別し、アイコンのクリックにより取り外し可能な拡張デバイス（ＵＳＢメモリー）を取り外し、取り外すためのクリックをした際、ＵＳＢメモリー内のファイルが開いていると、エラーメッセージを表示させることは、ＵＳＢメモリー等の取り外し可能な拡張デバイスを装着可能な装置における周知技術である。
　しかしながら、相違点４のうち、「表示された前記障害情報が選択されると、選択した前記障害情報を前記外部記憶装置に出力させ、前記外部記憶装置への前記障害情報の出力が終了していない場合に、前記外部記憶装置が挿入されていることを示すボタンが押下されると、エラーを発生するように構成」することは、引用文献２ないし８には記載がなく、また、半導体装置における周知技術及び取り外し可能な拡張デバイスを装着可能な装置における周知技術を組合わせることにより導くことができるものでもない。　
　そして、本願発明は、上記の相違点４に係る構成を備えることによって、少なくとも、障害情報の書込みが途中で、着脱可能な記録媒体が誤って取り外されないよう、使用者の注意を喚起するとともに、記録媒体を取り外すことができるか否かの確認を操作画面上で行うことができるという顕著な効果を奏する。
　したがって、相違点１ないし３について検討するまでもなく、本願発明は、引用発明及び引用文献２ないし８に記載された技術事項に基づいて当業者が容易に想到し得るものということはできない。
　また、請求項２ないし４に係る発明は、本願発明の発明特定事項の全てを有し、さらに限定した発明であり、請求項５に係る発明は、本願発明の制御方法の発明であり、請求項６に係る発明は、請求項５に係る発明の発明特定事項の全てを有し、さらに限定した発明であり、請求項７に係る発明は、本願発明のプログラムの発明であり、いずれも引用発明に基づいて当業者が容易に想到することができたものであるとすることはできない。
３　原査定の拒絶理由についてのまとめ
　原査定の拒絶理由についての判断は、上記のとおりであるから、原査定の拒絶の理由によっては、本願を拒絶することはできない。
第４　当審拒絶理由について
１　当審拒絶理由の概要
（サポート要件）本願は、特許請求の範囲の記載が下記の点で、特許法第３６条第６項第１号に規定する要件を満たしていない。
　　　　　　　　　　　　　　　　　　記
　本願の発明の詳細な説明の記載によれば、情報の書込みが途中で、着脱可能な記録媒体が誤って取り外されないよう、使用者の注意を喚起するとともに、記録媒体を取り外すことができるか否かの確認を操作画面上で行うことが、発明が解決しようとする課題であると読み取れる。 
　そして、段落００３３，００３９，００４１−００４４，００４７，図６等に記載された記録媒体の取り外しの手順等では、 
 ＜１＞「ＵＳＢ大容量記憶装置デバイス」等のデバイスノードにアクセスされており、取外しボタン６５が押下された場合、「ステップ３２０（Ｓ３２０）において、エラーメッセージを返した後、処理を終了」し、ステップ４１４で取外し禁止画面が表示され、 
 ＜２＞「ＵＳＢ大容量記憶装置デバイス」等のデバイスノードにアクセスされておらず、取外しボタン６５が押下されてＵＳＢフラッシュメモリが取外された場合、ステップ４１６で取外し許可画面が表示され、 
 ＜３＞「ＵＳＢ大容量記憶装置デバイス」等のデバイスノードにアクセスされておらず、取外しボタン６５が押下されずにＵＳＢフラッシュメモリが取外された場合、ステップ４１２で警告画面表示が表示される 
ことが読み取れる。 
　そして、「ＵＳＢ大容量記憶装置デバイス」等のデバイスノードにアクセスされている場合には、情報の書込みが途中の場合も含むと考えられるから、上記＜１＞ないし＜３＞の場合は、「情報の書込みが途中で、着脱可能な記録媒体が誤って取り外されないよう、使用者の注意を喚起するとともに、記録媒体を取り外すことができるか否かの確認を操作画面上で行う」とする発明が解決しようとする課題に対応した解決手段であるといえる。　しかしながら、本願発明は、「外部記憶装置が挿入されていることを示すボタン」が配置されるにとどまり、上記課題に対応した解決手段を有しておらず、上記課題を解決できない発明を含むものである。 
　したがって、請求項１には、発明の詳細な説明に記載された、発明の課題を解決するための手段が反映されておらず、本願発明は、発明の詳細な説明に記載した範囲を超えることとなる。 
　よって、本願発明は、発明の詳細な説明に記載したものでない。 
　また、請求項３ないし請求項７に係る発明も、請求項１に係る発明と同様に発明の詳細な説明に記載したものでない。 
２　当審拒絶理由の判断
　当審拒絶理由で指摘した点については、平成２８年１０月３日付けの手続補正により、補正前の請求項１の「前記外部記憶装置が前記装着部に挿入されている場合」について、「前記外部記憶装置への前記障害情報の出力が終了していない場合に、前記外部記憶装置が挿入されていることを示すボタンが押下されると、エラーを発生するように構成されている」と限定する補正がなされ、発明の詳細な説明に記載された、発明の課題を解決するための手段が反映されることになった。
　したがって、当審拒絶理由は解消した。
第５　結論
　以上のとおりであり、原査定の拒絶理由によって本願を拒絶することはできない。また、他に、本願を拒絶する理由を発見しない。
　よって、結論のとおり審決する。